(57)【要約】【課題】医療用チューブ内にその基端側から液体を注入した際に、当該医療用チューブの外周面に液体を容易かつ迅速に接触させることができる医療用トレイを提供すること。【解決手段】トレイ１は、先端開口を有する医療用チューブを収納する収納溝２ａと、収納溝２ａ内において医療用チューブを支持する支持手段４とを備えている。収納溝２ａの底面は、収納溝２ａ内に医療用チューブを収納したときの当該医療用チューブの先端側の部分が、基端側の部分よりも高所となるように傾斜した傾斜面を有している。医療用チューブ内にその基端側から液体を注入し、先端開口から流出させた際、当該流出した液体は、傾斜面に沿って流下し、医療用チューブの先端開口より基端側の部分の外周面に接触する。【選択図】図３
2008284031.tif 000002
【特許請求の範囲】
【請求項１】
先端部に開口部を有する医療用チューブを収納する、少なくとも１本の収納溝と、該収納溝内において前記医療用チューブを支持する支持手段とを備え、
前記収納溝の底面は、該収納溝内に前記医療用チューブを収納したときの該医療用チューブの先端側の部分が、基端側の部分よりも高所となるように傾斜した傾斜面を有し、
前記医療用チューブ内にその基端側から液体を注入し、前記開口部から流出させた際、該流出した液体は、前記傾斜面に沿って流下し、前記医療用チューブの前記開口部より基端側の部分の外周面に接触するよう構成されていることを特徴とする医療用トレイ。
【請求項２】
前記医療用トレイは、それを収納し載置可能な載置トレイに対して、所定の傾斜角度θで傾斜して載置された載置状態で用いられるものであり、
前記傾斜面は、前記医療用トレイを前記載置トレイに対して載置した前記載置状態で、当該傾斜面の傾斜角度がさらに増大する請求項１に記載の医療用トレイ。
【請求項３】
先端部に開口部を有する医療用チューブを収納する、少なくとも１本の収納溝と、該収納溝内において前記医療用チューブを支持する支持手段とを備える医療用トレイであって、
前記医療用トレイは、それを収納し載置可能な載置トレイに対して、所定の傾斜角度θで傾斜して載置された載置状態で用いられるものであり、
前記収納溝の底面は、前記医療用トレイを前記載置トレイに対して載置した前記載置状態で、前記収納溝内に前記医療用チューブを収納したときの該医療用チューブの先端側の部分が、基端側の部分よりも高所となるように、前記傾斜角度θまたはそれ以上の角度で傾斜した傾斜面となり、
前記医療用チューブ内にその基端側から液体を注入し、前記開口部から流出させた際、該流出した液体は、前記傾斜面に沿って流下し、前記医療用チューブの前記開口部より基端側の部分の外周面に接触するよう構成されていることを特徴とする医療用トレイ。
【請求項４】
前記載置トレイは、前記医療用トレイの外面に当接して、該医療用トレイを傾斜させる突部を有する請求項２または３に記載の医療用トレイ。
【請求項５】
前記傾斜面は、前記底面の全体に渡って形成される請求項１ないし４のいずれかに記載の医療用トレイ。
【請求項６】
前記支持手段は、前記収納溝の対向する２つの側面にそれぞれ突出形成された支持点で構成されており、これらの支持点の間で前記医療用チューブの一部が挟持される請求項１ないし５のいずれかに記載の医療用トレイ。
【請求項７】
前記２つの側面のうちの一方の側面に形成された前記支持点と、他方の側面に形成された前記支持点とは、前記収納溝の長手方向に沿って異なる位置に配置されている請求項６に記載の医療用トレイ。
【請求項８】
前記収納溝の途中に、前記傾斜面を流下した液体を貯留する貯留部が形成されている請求項１ないし７のいずれかに記載の医療用トレイ。
【請求項９】
前記収納溝の下流側には、前記傾斜面を流下した液体を前記収納溝外に排出する排液部が設けられている請求項１ないし８のいずれかに記載の医療用トレイ。
【請求項１０】
前記収納溝は、複数本設けられており、
少なくもと２本の前記収納溝には、それぞれ、用途が互いに異なる前記医療用チューブが収納される請求項１ないし９のいずれかに記載の医療用トレイ。
【請求項１１】
少なくもと２本の前記収納溝は、互いに平行に隣接して配置されている請求項１０に記載の医療用トレイ。
【請求項１２】
前記医療用チューブと関連して使用される複数の医療器具を収納し、前記収納溝と一体的に形成された器具用収納部を有する請求項１ないし１１のいずれかに記載の医療用トレイ。
【請求項１３】
前記器具用収納部は、平面視で長方形をなしており、その長手方向と前記収納溝の長手方向とが平行となるように配置されている請求項１２に記載の医療用トレイ。
【請求項１４】
前記器具用収納部は、使用済の前記医療用チューブおよび／または前記各医療器具を回収する回収部として機能する請求項１２または１３に記載の医療用トレイ。
【発明の詳細な説明】
【技術分野】
【０００１】
本発明は、医療用トレイに関する。
【背景技術】
【０００２】
可撓性を有するカテーテル本体と、カテーテル本体の基端部に設置されたハブとを有するカテーテルを用いた手術を行なうには、カテーテルやその他の医療器具が予めトレイ（医療用トレイ）に収納された医療器具セットを用いるのが知られている（例えば、特許文献１、特許文献２参照）。
【０００３】
これらの従来の医療器具セットには、複数本のカテーテルが収納されている。血管内に挿入されるカテーテル類は、血中へ空気（気泡）が混入するのを避ける必要性から、各カテーテルをそれぞれ使用する際、血管への挿入前に各カテーテルの管腔内および外周面（外表面）を生理食塩水に接触させる。なお、一部のカテーテルは、挿入時の摩擦抵抗を軽減（低減）するための処理として、その外表面に湿潤時に潤滑性を有する親水性ポリマーコートが施されており、挿入前の生理食塩水への接触は、潤滑性の発現のためにも必要とされる。
【０００４】
各カテーテル本体の管腔内をそれぞれ生理食塩水で満たす際には、各カテーテル内に生理食塩水を注入する、すなわち、各カテーテルをプライミングすることにより、それを行なうことができる。特許文献１に記載の医療器具セットでは、各カテーテルのハブがマニホールドに予め接続されており、このマニホールドを介して一括して、各カテーテルにそれぞれ生理食塩水を注入することができる。これにより、複数本のカテーテルをプライミングすることができる。
【０００５】
しかしながら、特許文献１（特許文献２も同様）に記載の医療器具セットでは、各カテーテルの外周面をそれぞれ生理食塩水に接触させるには、前述したようなプライミングを行なうのとは別の作業（工程）を行なう必要があり、このため、各カテーテルが使用可能となるまでの作業が煩雑となっていた。なお、前記別の作業としては、例えば、トレイ内を生理食塩水を満たし、この生理食塩水で満たされたトレイ内にカテーテル本体を浸潤させる作業が挙げられる。
【０００６】
【特許文献１】特開２００６−５１３４２号公報
【特許文献２】特開２００５−２８７７９６号公報
【発明の開示】
【発明が解決しようとする課題】
【０００７】
本発明の目的は、医療用チューブ内にその基端側から液体を注入した際に、当該医療用チューブの外周面に液体を容易かつ迅速に接触させることができる医療用トレイを提供することにある。
【課題を解決するための手段】
【０００８】
このような目的は、下記（１）〜（１４）の本発明により達成される。
（１）  先端部に開口部を有する医療用チューブを収納する、少なくとも１本の収納溝と、該収納溝内において前記医療用チューブを支持する支持手段とを備え、
前記収納溝の底面は、該収納溝内に前記医療用チューブを収納したときの該医療用チューブの先端側の部分が、基端側の部分よりも高所となるように傾斜した傾斜面を有し、
前記医療用チューブ内にその基端側から液体を注入し、前記開口部から流出させた際、該流出した液体は、前記傾斜面に沿って流下し、前記医療用チューブの前記開口部より基端側の部分の外周面に接触するよう構成されていることを特徴とする医療用トレイ。
【０００９】
（２）  前記医療用トレイは、それを収納し載置可能な載置トレイに対して、所定の傾斜角度θで傾斜して載置された載置状態で用いられるものであり、
前記傾斜面は、前記医療用トレイを前記載置トレイに対して載置した前記載置状態で、当該傾斜面の傾斜角度がさらに増大する上記（１）に記載の医療用トレイ。
【００１０】
（３）  先端部に開口部を有する医療用チューブを収納する、少なくとも１本の収納溝と、該収納溝内において前記医療用チューブを支持する支持手段とを備える医療用トレイであって、
前記医療用トレイは、それを収納し載置可能な載置トレイに対して、所定の傾斜角度θで傾斜して載置された載置状態で用いられるものであり、
前記収納溝の底面は、前記医療用トレイを前記載置トレイに対して載置した前記載置状態で、前記収納溝内に前記医療用チューブを収納したときの該医療用チューブの先端側の部分が、基端側の部分よりも高所となるように、前記傾斜角度θまたはそれ以上の角度で傾斜した傾斜面となり、
前記医療用チューブ内にその基端側から液体を注入し、前記開口部から流出させた際、該流出した液体は、前記傾斜面に沿って流下し、前記医療用チューブの前記開口部より基端側の部分の外周面に接触するよう構成されていることを特徴とする医療用トレイ。
【００１１】
（４）  前記載置トレイは、前記医療用トレイの外面に当接して、該医療用トレイを傾斜させる突部を有する上記（２）または（３）に記載の医療用トレイ。
【００１２】
（５）  前記傾斜面は、前記底面の全体に渡って形成される上記（１）ないし（４）のいずれかに記載の医療用トレイ。
【００１３】
（６）  前記支持手段は、前記収納溝の対向する２つの側面にそれぞれ突出形成された支持点で構成されており、これらの支持点の間で前記医療用チューブの一部が挟持される上記（１）ないし（５）のいずれかに記載の医療用トレイ。
【００１４】
（７）  前記２つの側面のうちの一方の側面に形成された前記支持点と、他方の側面に形成された前記支持点とは、前記収納溝の長手方向に沿って異なる位置に配置されている上記（６）に記載の医療用トレイ。
【００１５】
（８）  前記収納溝の途中に、前記傾斜面を流下した液体を貯留する貯留部が形成されている上記（１）ないし（７）のいずれかに記載の医療用トレイ。
【００１６】
（９）  前記収納溝の下流側には、前記傾斜面を流下した液体を前記収納溝外に排出する排液部が設けられている上記（１）ないし（８）のいずれかに記載の医療用トレイ。
【００１７】
（１０）  前記収納溝は、複数本設けられており、
少なくもと２本の前記収納溝には、それぞれ、用途が互いに異なる前記医療用チューブが収納される上記（１）ないし（９）のいずれかに記載の医療用トレイ。
【００１８】
（１１）  少なくもと２本の前記収納溝は、互いに平行に隣接して配置されている上記（１０）に記載の医療用トレイ。
【００１９】
（１２）  前記医療用チューブと関連して使用される複数の医療器具を収納し、前記収納溝と一体的に形成された器具用収納部を有する上記（１）ないし（１１）のいずれかに記載の医療用トレイ。
【００２０】
（１３）  前記器具用収納部は、平面視で長方形をなしており、その長手方向と前記収納溝の長手方向とが平行となるように配置されている上記（１２）に記載の医療用トレイ。
【００２１】
（１４）  前記器具用収納部は、使用済の前記医療用チューブおよび／または前記各医療器具を回収する回収部として機能する上記（１２）または（１３）に記載の医療用トレイ。
【発明の効果】
【００２２】
本発明によれば、医療用チューブ内にその基端側から液体を注入すると、開口部から流出し、この流出した液体は、傾斜面に沿って流下する。このとき、液体は、医療用チューブの開口部より基端側の部分の外周面に、容易かつ迅速に接触する。これにより、その医療用チューブを速やかに用いることができる。
【００２３】
また、支持手段が収納溝の長手方向に沿って異なる位置に配置された複数の支持点で構成されている場合には、収納溝内の液体が途中で止まるのが確実に防止され、よって、当該液体の流れを確保することができる。これにより、流下する液体を医療用チューブの外周面に、より容易かつ迅速に接触させることができる。
【発明を実施するための最良の形態】
【００２４】
以下、本発明の医療用トレイを添付図面に示す好適な実施形態に基づいて詳細に説明する。
図１および図２は、それぞれ、本発明の医療用トレイの平面図（図１は医療器具が収納されている状態を示し、図２は医療器具が収納されていない状態を示す）、図３は、図１に示す医療用トレイの斜視図、図４は、図１中のＡ−Ａ線断面図、図５は、図１中のＢ−Ｂ線断面図である。なお、以下では、説明の都合上、図３〜図５中の上側を「上」または「上方」、下側を「下」または「下方」と言う。また、図１〜図５中の左側を「基端」、右側を「先端」と言う。
【００２５】
図１、図３〜図５に示すように、医療用トレイ（以下、単に「トレイ」と言う）１は、複数の医療器具を収納するものである。複数の医療器具としては、図１および図３に示す構成では、ダイレータ（医療用チューブ）１０、イントロデューサシース（以下、単に「イントロデューサ」と言う）（医療用チューブ）２０、メス３０ａおよび３０ｂ、シリンジ４０および５０、注射針６０、導入針（套管針）７０が挙げられている。これらの医療器具は、カテーテルを用いた手術（カテーテル手技）を行なう際に、用いられるものである。また、このトレイ１は、それを収納し載置可能な載置トレイ８０に載置された載置状態で用いられる（図１、図３〜図５参照）。
【００２６】
トレイ１について説明する前に、ダイレータ１０、イントロデューサ２０、メス３０ａおよび３０ｂ、シリンジ４０および５０、注射針６０、導入針（套管針）７０、載置トレイ８０について説明する。
【００２７】
図１、図５に示すイントロデューサ２０は、カテーテル手技を行なう際に、血管に各種カテーテルを導入する導入ポートとして使用されるものである。このイントロデューサ２０は、先端に開口した先端開口２０３を有するイントロデューサ本体２０１と、イントロデューサ本体２０１の基端部に液密に接合されたハブ２０２とを有している。
【００２８】
イントロデューサ本体２０１は、可撓性を有する長尺なチューブで構成されている。このイントロデューサ本体２０１の外周面には、摩擦抵抗を軽減（低減）する処理を施してもよい。これにより、イントロデューサ本体２０１をその長手方向に沿って移動させる際、その操作を円滑に行なうことができる。この処理としては、例えば、ポリテトラフルオロエチレン等のフッ素系樹脂の被覆層（テフロンコート（「テフロン」は登録商標））を設けることや、シリコンコート、湿潤時に潤滑性を有する親水性ポリマーコート等が挙げられる。本実施形態では、親水性ポリマーコートが施されている。
【００２９】
ハブ２０２は、筒体で構成され、イントロデューサ本体２０１と連通している。また、このハブ２０２の側部には、生理食塩水Ｐが通過する流路として機能するチューブ２０４が接続されている。チューブ２０４は、コネクタ２０５およびチューブ９０ｃを介して、生理食塩水Ｐを供給する供給手段（図示せず）に接続することができる。チューブ９０ｃ、コネクタ２０５、チューブ２０４を順に通過してハブ２０２流入した生理食塩水Ｐは、イントロデューサ本体２０１内を満たす。これにより、イントロデューサ２０をプライミングすることができる。また、このとき、イントロデューサ本体２０１の管腔内は、生理食塩水Ｐで満たされるため、内部の空気が除去される。なお、前記供給手段としては、特に限定されないが、シリンジが挙げられる。
【００３０】
図１、図４に示すダイレータ１０は、イントロデューサ２０内に挿入された組立状態で血管内に挿入され、その後、抜去されるものである。これにより、イントロデューサ２０を血管内に挿入することができる。このダイレータ１０は、先端に開口した先端開口１０３を有するダイレータ本体１０１と、ダイレータ本体１０１の基端部に液密に接合されたハブ１０２とを有している。
ダイレータ本体１０１は、可撓性を有する長尺なチューブで構成されている。
【００３１】
ハブ１０２は、筒体で構成され、ダイレータ本体１０１と連通している。また、このハブ１０２の基端側には、生理食塩水Ｐが通過する流路として機能するチューブ９０ａが接続されている（図１参照）。このチューブ９０ａは、前記供給手段に接続することができる。チューブ９０ａを介してハブ１０２流入した生理食塩水Ｐは、ダイレータ本体１０１内を満たす。これにより、ダイレータ１０をプライミングすることができる。
【００３２】
図１に示すメス３０ａおよび３０ｂは、生体表面を切開するものである。各メス３０ａ、３０ｂは、それぞれ、刃面（図示せず）を有している。メス３０ａの刃面と、メス３０ｂの刃面とは、形状が異なっており、例えば手術に応じて、メス３０ａとメス３０ｂとを選択して用いることができる。
【００３３】
図１、図３に示すシリンジ４０は、麻酔を行なう際に用いられるものであり、シリンジ５０は、カテーテルを介して血管内に造影剤を注入する際に用いられるものである。
【００３４】
シリンジ４０は、先端に突出する口部４０４を有するシリンジ外筒４０１と、シリンジ外筒４０１内を摺動するガスケット４０２と、ガスケット４０２を移動操作するプランジャ４０３とを有している。シリンジ外筒４０１とガスケット４０２とで囲まれた空間内に麻酔薬を充填することができる。
【００３５】
また、このシリンジ４０（シリンジ外筒４０１）の口部４０４には、注射針６０を装着することができる。この注射針６０は、先端に鋭利な針先を有する針管６０１と、針管６０１の基端部に固着されたハブ６０２とを有している。シリンジ４０の口部４０４をハブに挿入することにより、注射針６０がシリンジ４０に装着される。この装着状態のシリンジ４０では、針管６０１の針先で患者の生体表面を穿刺し、プランジャ４０３を押圧することにより、前記充填された麻酔薬を患者に投与することができる。
【００３６】
シリンジ５０は、先端に突出する口部５０４を有するシリンジ外筒５０１と、シリンジ外筒５０１内を摺動するガスケット５０２と、ガスケット５０２を移動操作するプランジャ５０３とを有している。シリンジ外筒５０１とガスケット５０２とで囲まれた空間内に造影剤を充填することができる。シリンジ５０の口部５０４をカテーテルのハブに接続する。この接続状態で、プランジャ５０３を押圧操作することにより、カテーテルを介して血管内に造影剤を注入することができる。
【００３７】
また、このシリンジ５０では、シリンジ外筒５０１の外周部に指掛け部５０５ａおよび５０５ｂが設けられ、プランジャ５０３の基端部に指掛け部５０５ｃがそれぞれ設けられている。例えば、指掛け部５０５ａに人差し指を掛け、指掛け部５０５ｂに中指を掛け、指掛け部５０５ｃに親指を掛けることができる。この状態で、プランジャ５０３に対する操作を容易に行なうことができる。このような指掛け部５０５ａ〜５０５ｃは、造影剤が通常の液体よりも高い粘度（粘性）を有するため、注入時に強い力を要求されることに対応して設けられている。
また、本実施形態では、シリンジ５０は、トレイ１から省略されていてもよい。
【００３８】
図１、図３に示す導入針７０は、金属製の内針と樹脂製の外針とからなり、メスにより形成された傷穴からカテーテル８を挿入すべき血管（動脈）を穿刺した後、内針のみを抜去し、外針にガイドワイヤを挿入することで、カテーテル挿入のためのアクセスポートを確保するのに使用される。その後、外針のみ抜去され、残ったガイドワイヤに沿って、ダイレータ１０と組み合わせたイントロデューサ２０が血管内へ挿入される。
【００３９】
図１、図３に示す載置トレイ８０は、底板８０１と、底板８０１の縁部に沿って立設した壁部８０２とを有している。底板８０１と壁部８０２とで囲まれた空間内には、前述した医療器具を収納した状態のトレイ１の全体を収納することができる。
【００４０】
また、底板８０１には、上方に向かって突出した突部８０３が形成されている。この突部８０３は、平面視での形状が円弧状をなす部位である。載置トレイ８０内にトレイ１を収納すると、当該トレイ１の下面（外面）１１の中心部よりも図３中（図１も同様）右側の部分に突部８０３の頂部（上部）８０４が当接する。これにより、トレイ１は、その図３中右側（先端側）が左側（基端側）よりも高所となるように傾斜する（図３〜図５参照）。
【００４１】
載置トレイ８０には、１〜３本（図中では３本）のカテーテル８と、１本のガイドワイヤ９とが収納されている。
【００４２】
各カテーテル８は、それぞれ、可撓性を有する長尺なカテーテル本体８１と、カテーテル本体８１の基端部に液密に接続されたハブ８２とを有している。また、各カテーテル８は、それぞれ、載置トレイ８０の壁部８０２に沿って巻回した状態で収納されている。
【００４３】
これらのカテーテル８は、ハブ８２が並列に配置されて、載置トレイ８０のハブ保持部８０５に保持されている（図１参照）。また、各ハブ８２には、それぞれ、チューブ９０ｂが接続されている。各チューブ９０ｂは、前記供給手段に接続され、当該チューブ９０ｂを介して、カテーテル８に生理食塩水Ｐを供給する、すなわち、カテーテル８をプライミングすることができる。
【００４４】
ガイドワイヤ９は、チューブで構成されたホルダ９１内に保持されている。このホルダ９１内に保持された状態で、ガイドワイヤ９は、各カテーテル８よりも内側に、巻回した状態で収納されている。また、ホルダ９１は、その一端部がチューブ９０ｃに接続されている（図１参照）。チューブ９０ｃは、前記供給手段に接続され、当該チューブ９０ｃを介して、ホルダ９１内に生理食塩水Ｐを供給することができる。ガイドワイヤ９の外表面は、イントロデューサ２０と同様に、湿潤時に潤滑性を有する親水性ポリマーコートが施されている。ホルダ９１内に生理食塩水Ｐを供給することにより、ガイドワイヤ９の外表面は、生理食塩水Ｐに接する（浸潤される）ため、潤滑性を有することとなる。
【００４５】
次に、トレイ１について説明する。
図２（図１、図３も同様）に示すように、トレイ１は、平面視での全体形状がほぼ長方形をなしており、４辺が壁部１２で囲まれている。
【００４６】
なお、トレイ１の長辺方向の長さは、特に限定されず、例えば、２００〜４００ｍｍであるのが好ましく、２５０〜３５０ｍｍであるのがより好ましい。また、トレイ１の短辺方向の長さは、特に限定されず、例えば、５０〜２００ｍｍであるのが好ましく、１００〜１５０ｍｍであるのがより好ましい。
【００４７】
また、トレイ１の構成材料としては、特に限定されないが、例えば、ポリエチレン、ポリプロピレン、ポリブタジエン、エチレン−酢酸ビニル共重合体等のポリオレフィン、ポリ塩化ビニル、ポリウレタン、ポリスチレン、ポリメチルメタクリレート、ポリカーボネート、ポリアミド、ポリエチレンテレフタレートまたはポリブチレンテレフタレート等のポリエステル、ＡＢＳ樹脂、ＡＳ樹脂、アイオノマー、ポリアセタール、ポリフェニレンサルファイド、ポリエーテルエーテルケトン等の各種樹脂材料が挙げられる。
【００４８】
このトレイ１は、壁部１２の内側に形成された、ダイレータ１０を収納する収納溝２ａと、イントロデューサ２０を収納する収納溝２ｂと、メス３０ａおよび３０ｂ、シリンジ４０および５０、注射針６０、導入針７０をまとめて収納する器具用収納部３とを有している。トレイ１は金型で成形されたものであり、このため、収納溝２ａおよび２ｂ、器具用収納部３は、一体的に形成されている。また、収納溝２ａおよび２ｂ、器具用収納部３は、それぞれ、凹部で構成されている。以下、各部の構成について説明する。
【００４９】
各収納溝２ａ、２ｂは、それぞれ、トレイ１の長手方向に沿って形成されており、図２中の下側に互いに隣接して配置されている。このような配置により、トレイ１内に収納された医療器具のうち、プライミングを行なう医療器具（ダイレータ１０、イントロデューサ２０）をまとめて（互いに比較的近い位置に）収納することができる。また、各医療器具の把持部（ダイレータ１０のハブ１０２、イントロデューサ２０のハブ２０２）をトレイ１に対して同じ側（図２中左側）に位置させることができる。
【００５０】
これにより、医療器具（ダイレータ１０、イントロデューサ２０）をプライミング後に迅速に使用することができる。
【００５１】
また、このように、トレイ１では、各収納溝２ａ、２ｂに、それぞれ、用途が互いに異なる医療器具（医療用チューブ）を収納することができる。これにより、１つのトレイ１で、種類の異なる医療器具をまとめて収納することができる。また、２つの医療用チューブの占有面積を最小限に抑えることができるため、トレイ１自身を小さく設計することができ、使い勝手が向上し、製造コストも削減することができ、さらに、使用後に医療用廃棄物として廃棄される際も廃棄量を削減することができる。
【００５２】
このような収納溝２ａと収納溝２ｂとの構成として、ほぼ同一の部分があるため、この部分については、以下、収納溝２ａについて代表的に説明する。
【００５３】
図４に示すように、収納溝２ａの底面には、その全体に渡って、傾斜角度αの第１の傾斜面２１と、段差部２３を介して第１の傾斜面２１よりも下方に位置する第２の傾斜面２２とが形成されている。第２の傾斜面２２は、第１の傾斜面２１の基端側に位置している。
【００５４】
収納溝２ａにダイレータ１０を収納した際（以下、この状態を「収納状態」と言う）、収納溝２ａの第１の傾斜面２１が形成されている部分にはダイレータ本体１０１が位置し、収納溝２ａの第２の傾斜面２２が形成されている部分にはハブが位置する。
【００５５】
また、第１の傾斜面２１は、前述したように傾斜角度αで傾斜しているため、収納状態で、ダイレータ本体１０１の先端開口１０３が、ハブ１０２よりも高所に位置することとなる。
【００５６】
また、前述したように、トレイ１は、載置トレイ８０に載置された（収納された）状態でプライミングされる。トレイ１を載置トレイ８０に載置すると、トレイ１の下面１１の先端側の部分が載置トレイ８０の突部８０３の頂部８０４に当接する。これにより、トレイ１全体が傾斜角度θで傾斜する（図４参照）。このとき、第１の傾斜面２１（第２の傾斜面２２も同様）は、その傾斜角度が増大して、水平方向に対して傾斜角度（α＋θ）で傾斜した状態となる。図４に示す状態（載置状態）では、ダイレータ本体１０１の先端開口１０３が、ハブ１０２よりもさらに高所に位置することとなる。
【００５７】
図４に示す状態で、ハブ１０２からダイレータ１０内に生理食塩水Ｐを注入して、当該ダイレータ１０をプライミングすると、生理食塩水Ｐは、ダイレータ本体１０１の先端開口１０３から流出する。なお、プライミングにより、ダイレータ本体１０１の管腔内が生理食塩水Ｐに完全に置換される。
【００５８】
また、先端開口１０３から流出した生理食塩水Ｐは、第１の傾斜面２１に沿って図４中矢印方向に流下する。これにより、生理食塩水Ｐは、ダイレータ本体１０１の少なくとも先端側の部分の外周面に容易かつ迅速に接触する。これにより、ダイレータ本体１０１の先端側の部分の外周面は、湿潤され、気泡が除去されることとなり、よって、そのダイレータ１０を速やかに用いることができる。なお、ダイレータ１０は、それを使用する際、ダイレータ本体１０１の先端側の部分が血管内に挿入されるため、当該部分の外周面が湿潤されていれば十分である。また、収納溝２ａの底面の全体が第１の傾斜面２１および第２の傾斜面２２となっているため、ダイレータ本体１０１の外周面のほぼ全体に生理食塩水Ｐを接触させることができる。
【００５９】
また、前述したように、載置状態で第１の傾斜面２１には、傾斜角度θの傾斜が加えられる。仮にトレイ１単体で第１の傾斜面２１に傾斜角度（α＋θ）の傾斜を持たせようとした場合、このトレイ１の厚さは、傾斜角度αの第１の傾斜面２１のトレイ１の厚さに比べて、大きくなる。トレイ１の厚さが大きくなると、その大きさの程度によっては、例えば、当該トレイ１を把持し辛いという場合がある。
【００６０】
また、トレイ１は、ダイレータ１０（イントロデューサ２０も同様）を生理食塩水Ｐで浸潤する際、載置トレイ８０に載置されてトレイ１全体が傾斜しているのに限定されず、例えば、トレイ１が全体として水平となっていてもよい。
【００６１】
なお、傾斜角度αの大きさは、特に限定されないが、例えば、１〜６度であるのが好ましく、２〜４度であるのがより好ましい。
【００６２】
また、傾斜角度θの大きさは、特に限定されないが、例えば、２〜８度であるのが好ましく、４〜６度であるのがより好ましい。
【００６３】
また、実際の医療用チューブの水平面からの傾斜角となる「α＋θ」の値は、特に限定されないが、生理食塩水Ｐの効果的な流れと使用者の使い勝手とを考慮して、３〜１４度であるのが好ましく、６〜１０度であるのがより好ましい。このような角度は、トレイ１と載置トレイ８０との組み合わせで実現することもできるが、トレイ１単独で実現させるよう、αを３〜１４度（より好ましくは６〜１０度）とし、θを０度としてもよい。
【００６４】
図２に示すように、収納溝２ａは、ダイレータ１０を支持する支持手段４を有している。この支持手段４は、３つの支持点４１１、４１２および４１３が一組となった５つの支持部４１ａ、４１ｂ、４１ｃ、４１ｄおよび４１ｅで構成されている。
【００６５】
収納状態で、ダイレータ１０は、その先端部が支持部４１ａで支持され、中間部が支持部４１ｂ〜４１ｅで支持されている（図１参照）。このように５つの支持部４１ａ〜４１ｅが収納溝２ａの長手方向に沿って配置されていることにより、収納状態のダイレータ１０を安定して支持することができる。これにより、ダイレータ１０をプライミングした際、ダイレータ１０の先端開口１０３から流出した生理食塩水Ｐが、ダイレータ１０の外周面に確実に接触する。また、このような支持部４１ａ〜４１ｅの配置により、本実施形態のダイレータ１０よりも短いダイレータ１０を収納溝２ａに収納した場合でも、当該短いダイレータ１０を確実に支持することができる。
【００６６】
また、各支持部４１ａ〜４１ｅでは、支持点４１１〜４１３のうち、支持点４１１および４１３は、収納溝２ａの対向する２つの側面の一方の側面（図２中上側の側面）に山状に突出形成され、支持点４１２は、他方の側面（図２中下側の側面）に山状に突出形成されている。収納状態では、これらの支持点４１１〜４１３は、ダイレータ１０のダイレータ本体１０１の外周面に当接して、その当接した部分で、ダイレータ１０が挟持される。このような収納状態により、ダイレータ１０をより安定して支持することができる。また、収納状態のダイレータ１０を把持して持ち上げることにより、そのダイレータ１０を容易に取り出すことができる。
【００６７】
また、各支持部４１ａ〜４１ｅでは、支持点４１１〜４１３は、収納溝２ａの長手方向に沿ってズレて（異なる位置に）配置されている。具体的には、支持点４１１および４１３は、収納溝２ａの長手方向に沿って隣接してズレて配置されており、支持点４１２は、収納溝２ａの長手方向の支持点４１１と支持点４１３との間に配置されている。
【００６８】
支持点４１１〜４１３がこのように配置されていることにより、生理食塩水Ｐが各支持部４１ａ〜４１ｅ付近でそれぞれ蛇行して流れる。（図１参照）。これにより、特に支持部４１ａ〜４１ｅでは、ダイレータ１０（ダイレータ本体１０１）外周面に生理食塩水Ｐが万遍なく接することとなる。
【００６９】
また、このような支持点４１１〜４１３の配置により、各支持部４１ａ〜４１ｅでは、生理食塩水Ｐの流れが妨げられず（阻害されず）、下流側に向かって円滑かつ確実に流れる。仮に支持点４１１と支持点４１２とが収納溝２ａの長手方向の同じ位置から突出している場合、その部分で、上流側から流れてきた生理食塩水Ｐが止まってしまうおそれがある。しかしながら、本実施形態では、このような問題が生じるのが防止され、生理食塩水Ｐの円滑かつ迅速な流れを確保することができる。
なお、収納溝２ｂについても、収納溝２ａとほぼ同様の構成となっている。
【００７０】
図１、図２および図４に示すように、収納溝２ａの途中、すなわち、収納溝２ａの最も上流側に位置する支持部４１ａと、この支持部４１ａの次に上流側に位置する支持部４１ｂとの間には、貯留部２４が形成されている。この貯留部２４は、第１の傾斜面２１を流下した生理食塩水Ｐを貯留する部分である。貯留部２４は、その幅が第１の傾斜面２１の幅よりも大きく（図１、図２参照）、深さが第１の傾斜面２１の深さよりも深い（図４参照）。
【００７１】
このような貯留部２４が設けられていることにより、ダイレータ１０をプライミングして先端開口１０３から生理食塩水Ｐが流出した際、当該ダイレータ１０の貯留部２４よりも先端側の部分を、それより基端側の部分よりも優先的に生理食塩水Ｐに接触させることができる。前述したように、ダイレータ１０は、それを使用する際、ダイレータ本体１０１の先端側の部分の外周面が潤滑性を有していれば十分である。この貯留部２４の作用により、ダイレータ本体１０１の先端側の部分の外周面が主に潤滑性を有することとなる。
【００７２】
なお、収納溝２ｂでは、貯留部２４は省略されている。イントロデューサ本体２０１は、ダイレータ本体１０１と異なり、外表面全体を濡らす必要があるためである。
【００７３】
また、収納溝２ａの下流側には、排液口（排液部）２５が設けられている。この排液口２５は、収納溝２ａの基端部が外方に向かって開放した（開口した）部位である。例えば生理食塩水Ｐが貯留部２４からあふれた場合、第１の傾斜面２１および第２の傾斜面２２を順に流下した生理食塩水Ｐを、排液口２５を介して載置トレイ８０に確実に排出することができる。
【００７４】
収納溝２ｂの下流側も排液口（排液部）２６が設けられている。この排液口２６は、収納溝２ｂの基端部の側壁が収納溝２ａに向かって開放した（開口した）部位である。収納溝２ｂ内を流下した生理食塩水Ｐは、排液口２６を介して、収納溝２ａに流入し、さらに排液口２５を介して載置トレイ８０に確実に排出される。
【００７５】
図１〜図３に示すように、収納溝２ｂの収納溝２ａと反対側には、手術の際にダイレータ１０やイントロデューサ２０と関連して使用される、メス３０ａおよび３０ｂ、シリンジ４０および５０、注射針６０、導入針７０を収納する器具用収納部３が配置されている。
【００７６】
この器具用収納部３は、前述したように凹部で構成されており、その凹部が複数の壁部で区画されている。これにより、器具用収納部３には、６つの小収納部３１、３２、３３、３４、３５、３６が形成される。小収納部３１には、メス３０ａを収納することができ、小収納部３２には、メス３０ｂを収納することができ、小収納部３３には、シリンジ４０を収納することができ、小収納部３４には、シリンジ５０を収納することができ、小収納部３５には、注射針６０を収納することができ、小収納部３６には、導入針７０を収納することができる（図１および図２参照）。
【００７７】
また、収納されたこれらの医療器具は、各先端部が全て図１中（図２も同様）右側に位置し、基端部が左側に位置する。これにより、各医療器具を把持して使用する際、それを容易に行なうことができる。
【００７８】
このような器具用収納部３は、平面視で長方形をなしており、その長手方向と収納溝２ｂ（収納溝２ａも同様）の長手方向とが平行となるように配置されている。これにより、器具用収納部３に収納された医療器具は、収納溝２ａに収納されたダイレータ１０と、収納溝２ｂに収納されたイントロデューサ２０とともに、各先端部が全て図１中（図２も同様）右側に位置し、基端部が左側に位置する。これにより、トレイ１全体としても使用し易いものとなっている。また、器具用収納部３のこのような配置により、トレイ１全体を比較的小さなものにすることができ、よって、トレイ１を把持する際、それを容易に行なうことができる。
【００７９】
また、器具用収納部３は、当該器具用収納部３内の医療器具を取り出した後、使用済のダイレータ１０、イントロデューサ２０、メス３０ａおよび３０ｂ、シリンジ４０および５０、注射針６０、導入針７０のうちの少なくとも１つの医療器具を回収する（収納する）回収部として機能する。これにより、使用済の医療器具を器具用収納部３（回収部）に収納された状態で破棄することができる。また、指刺し事故のおそれのある使用済針を分別回収したり、仮置きすることができる。
【００８０】
以上のような構成のトレイ１は、載置状態で載置トレイ８０とともに、包装体（図示せず）内に密封されていてもよい。この包装体は、例えばポリオレフィン等の合成樹脂材料からなる不織布等で構成された、滅菌ガス透過性かつ菌不透過性を有するものである。
【００８１】
このような包装体に収納されていることにより、トレイ１、載置トレイ８０および収納状態の各医療器具を滅菌（例えばオートクレーブ滅菌）した際、その滅菌状態を確実に維持することができる。
【００８２】
また、トレイ１内のダイレータ１０はチューブ９０ａに接続され、イントロデューサ２０はチューブ９０ｃに接続された状態で、前記包装体に収納されているのが好ましい。これにより、包装体から載置状態のトレイ１を出した際に、迅速にダイレータ１０やイントロデューサ２０をプライミングすることができる。
【００８３】
以上、本発明の医療用トレイを図示の実施形態について説明したが、本発明は、これに限定されるものではなく、医療用トレイを構成する各部は、同様の機能を発揮し得る任意の構成のものと置換することができる。また、任意の構成物が付加されていてもよい。
【００８４】
また、収納溝の形成数は、２本であるのに限定されず、例えば、１本または３本以上であってもよい。
【００８５】
また、支持部の形成数は、５つであるのに限定されず、例えば、１つ、２つ、３つ、４つ、６つ以上であってもよい。
【００８６】
また、各支持部における支持点の形成数は、３つに限定されず、例えば、４つ以上であってもよい。
【００８７】
また、医療用トレイは、収納溝の底面（傾斜面）が傾斜角度αで傾斜し、載置状態でさらに傾斜角度θの傾斜が加わるよう構成されているが、これに限定されず、例えば、収納溝の底面がトレイ自体では傾斜がなく、載置状態で傾斜角度θで傾斜するよう構成されていてもよい。
【００８８】
医療用トレイに収納される医療用チューブは、先端が開口したものに限定されず、例えば、先端部の側壁が開口したもの、すなわち、側孔を有するものであってもよい。
【図面の簡単な説明】
【００８９】
【図１】本発明の医療用トレイの平面図（医療器具が収納されている状態を示す図）である。
【図２】本発明の医療用トレイの平面図（医療器具が収納されていない状態を示す図）である。
【図３】図１に示す医療用トレイの斜視図である。
【図４】図１中のＡ−Ａ線断面図である。
【図５】図１中のＢ−Ｂ線断面図である。
【符号の説明】
【００９０】
１            医療用トレイ（トレイ）
１１          下面
１２          壁部
２ａ、２ｂ    収納溝
２１          第１の傾斜面
２２          第２の傾斜面
２３          段差部
２４          貯留部
２５、２６    排液口（排液部）
３            器具用収納部
３１、３２、３３、３４、３５、３６  小収納部
４            支持手段
４１ａ、４１ｂ、４１ｃ、４１ｄ、４１ｅ  支持部
４１１、４１２、４１３  支持点
８            カテーテル
８１          カテーテル本体
８２          ハブ
９            ガイドワイヤ
９１          ホルダ
１０          ダイレータ（医療用チューブ）
１０１        ダイレータ本体
１０２        ハブ
１０３        先端開口
２０          イントロデューサ（イントロデューサシース（医療用チューブ））
２０１        イントロデューサ本体
２０２        ハブ
２０３        先端開口
２０４        チューブ
２０５        コネクタ
３０ａ、３０ｂ  メス
４０          シリンジ
４０１        シリンジ外筒
４０２        ガスケット
４０３        プランジャ
４０４        口部
５０          シリンジ
５０１        シリンジ外筒
５０２        ガスケット
５０３        プランジャ
５０４        口部
５０５ａ、５０５ｂ、５０５ｃ  指掛け部
６０          注射針
６０１        針管
６０２        ハブ
７０          導入針（套管針）
８０          載置トレイ
８０１        底板
８０２        壁部
８０３        突部
８０４        頂部（上部）
８０５        ハブ保持部
９０ａ、９０ｂ、９０ｃ  チューブ
Ｐ            生理食塩水
α、θ        傾斜角度
【図１】
2008284031.tif 000003
【図２】
2008284031.tif 000004
【図３】
2008284031.tif 000005
【図４】
2008284031.tif 000006
【図５】
2008284031.tif 000007